(57)【要約】【課題】  電源がＯＦＦのときや電気的排出機能に問題が生じても手動でディスクをＤＶＤＬＯＤＥＲから取り出すことができ、しかも構造を簡単化することができ、一つの部材でディスクを取り出すことができるＤＶＤＬＯＤＥＲを有する薄型テレビを提供する。【解決手段】  薄型テレビの裏面にＤＶＤＬＯＤＥＲ１が設けられ、ＤＶＤＬＯＤＥＲには、ディスクＤを挿入排出するＳＬモータ４とＳＬモータによって回転される第１ギア９、第２ギア１０、第３ギア１１等のギヤ群５が配置され、ＳＬモータの駆動でギヤ群を解して搬送ローラ６が回転されてディスクを挿入排出し、ＤＶＤＬＯＤＥＲの外側からギヤ群の第３ギヤに先端のギヤ歯部１６ａが噛み合う排出ボタン１６が挿入され、排出ボタンを押してギヤ群の第３ギヤが搬送ローラをディスクが排出する方向に回動され、排出ボタン１６でディスクをＤＶＤＬＯＤＥＲから外部に排出するように構成した。【選択図】  図１
2009037680.tif 000002
【特許請求の範囲】
【請求項１】
薄型テレビの裏面にＤＶＤＬＯＤＥＲが設けられ、前記ＤＶＤＬＯＤＥＲには、ディスクを挿入排出するためのＳＬモータとこのＳＬモータによって回転される第１ギア、第２ギア、第３ギア等のギヤ群が配置され、前記ＳＬモータの駆動により前記ギヤ群を解して搬送ローラが回転されて前記ディスクを挿入排出するようにしたＤＶＤＬＯＤＥＲを有する薄型テレビにおいて、前記ＤＶＤＬＯＤＥＲの外側から前記ギヤ群の第３ギヤに先端のギヤ歯部が噛み合う排出ボタンが挿入され、この排出ボタンを押すことによって前記ギヤ群の第３ギヤが前記搬送ローラを前記ディスクが排出する方向に回動され、前記排出ボタンによって前記ディスクを前記ＤＶＤＬＯＤＥＲから外部に排出するように構成したことを特徴とするＤＶＤＬＯＤＥＲを有する薄型テレビ。
【請求項２】
前記薄型テレビのリアキャビネットに前記排出ボタンを不使用時に収納する収納部が設けられ、この収納部の壁部に前記排出ボタンを保持するための左右一対のリブが設けられ、前記収納部にはカバーが開閉可能に設けられている請求項１に記載のＤＶＤＬＯＤＥＲを有する薄型テレビ。
【発明の詳細な説明】
【技術分野】
【０００１】
本発明は、薄型テレビの裏面にＤＶＤＬＯＤＥＲが設けられ、前記ＤＶＤＬＯＤＥＲには、ディスクを挿入排出するためのＳＬモータとこのＳＬモータによって回転される第１ギア、第２ギア、第３ギア等のギヤ群が配置され、前記ＳＬモータの駆動により前記ギヤ群を解して搬送ローラが回転されて前記ディスクを挿入排出するようにしたＤＶＤＬＯＤＥＲを有する薄型テレビに関するものである。
【背景技術】
【０００２】
従来、この種のＤＶＤＬＯＤＥＲを有する薄型テレビは、ディスクを排出するための電気的な強制排出機構は存在するが、電源がＯＦＦのときやディスク搬送に関わる電気的な問題が生じた場合には、ディスクがＤＶＤＬＯＤＥＲの中に閉じ込められたままの状態になり、ディスクを排出することができないという問題があった。
【０００３】
また、特開平１０−２２２９０９号公報には、図３（ａ）（ｂ）に示すように、機器本体１０５に手動でプッシュ操作される軸状の第１、第２プッシュ部材１２１、１２２を同軸に設置し、第１プッシュ部材１２１を指で１回プッシュ操作する毎に電動モータ１０８を正逆回転させてディスクトレー１０２を自動搬入搬出させ、停電時には第２プッシュ部材１２２を指で１回或いは数回プッシュ操作してトレー強制搬出部材１２６を後退させて駆動ギヤ１１３を強制回転させることで、機器本体１０５内のディスクトレー１０２を機器本体１０５外に指で掴める程度の突出長で強制的に搬出させる構成が記載されている。
【０００４】
ところが、これにおいては、トレー強制搬出部材１２６で係止部材１２７を押すだけであるから、ディスクトレー１０２をある決まった量しか外部に出せず、ディスクトレー１０２の全体を外部に出すことができないという問題があった。
【０００５】
更に、特開２００４−３１０８１３号公報には、ローディングギヤユニットを外部から操作するようにした第１の解除手段と、ラックギヤユニットを外部から操作するようにした第２の解除手段とを備え、ローデングギヤユニットを操作したとき、ラックギヤユニットの操作禁止状態が解除されるようにしたものが記載されている。
【０００６】
ところが、これにおいては、第１の解除手段と第２の解除手段を別々に２回押さなければならないという問題があった。
【０００７】
また、特開２００１−１６７４９７号公報には、回転操作レバーを設け、回転操作レバーを回転操作することにより記録媒体をローディング又はイジェクトするようにしたものが記載されている。
【０００８】
ところが、これにおいては、回転操作レバーを回転操作して駆動モータを回転させる機構が複雑であるという問題があった。
【特許文献１】特開平１０−２２２９０９号公報
【特許文献２】特開２００４−３１０８１３号公報
【特許文献３】特開２００１−１６７４９７号公報
【発明の開示】
【発明が解決しようとする課題】
【０００９】
本発明は、上記従来の問題に鑑みてなされたものであって、電源がＯＦＦのときや電気的排出機能に問題が生じても手動でディスクをＤＶＤＬＯＤＥＲから取り出すことができ、しかも構造を簡単化することができ、一つの部材でディスクを取り出すことができるＤＶＤＬＯＤＥＲを有する薄型テレビを提供することを目的としている。
【課題を解決するための手段】
【００１０】
本発明は、上記課題を解決するために提案されたものであって、請求項１に記載の発明は、薄型テレビの裏面にＤＶＤＬＯＤＥＲが設けられ、前記ＤＶＤＬＯＤＥＲには、ディスクを挿入排出するためのＳＬモータとこのＳＬモータによって回転される第１ギア、第２ギア、第３ギア等のギヤ群が配置され、前記ＳＬモータの駆動により前記ギヤ群を解して搬送ローラが回転されて前記ディスクを挿入排出するようにしたＤＶＤＬＯＤＥＲを有する薄型テレビにおいて、前記ＤＶＤＬＯＤＥＲの外側から前記ギヤ群の第３ギヤに先端のギヤ歯部が噛み合う排出ボタンが挿入され、この排出ボタンを押すことによって前記ギヤ群の第３ギヤが前記搬送ローラを前記ディスクが排出する方向に回動され、前記排出ボタンによって前記ディスクを前記ＤＶＤＬＯＤＥＲから外部に排出するように構成したことを特徴としている。
【００１１】
請求項２に記載の発明は、請求項１に記載の発明において、前記薄型テレビのリアキャビネットに前記排出ボタンを不使用時に収納する収納部が設けられ、この収納部の壁部に前記排出ボタンを保持するための左右一対のリブが設けられ、前記収納部にはカバーが開閉可能に設けられている。
【発明の効果】
【００１２】
請求項１に記載の発明によれば、排出ボタンをＤＶＤＬＯＤＥＲ内に挿入し、第３ギヤに先端のギヤ歯部を噛み合わして押すことにより、第３ギヤを搬送ローラがディスクを排出する方向に回転してディスクを排出するようにしたから、電源がＯＦＦのときや電気的排出機能に問題が生じても手動でディスクをＤＶＤＬＯＤＥＲから取り出すことができ、しかも構造を簡単化することができ、排出ボタンだけでディスクを取り出すことができる
請求項２に記載の発明によれば、薄型テレビのリアキャビネットに設けられた収納部に排出ボタンを不使用時に収納するようにしたから、排出ボタンの誤操作を防ぐことができると共に、排出ボタンが紛失することを防ぐことができる。
【発明を実施するための最良の形態】
【００１３】
以下、本発明に係るＤＶＤＬＯＤＥＲを有する薄型テレビの実施の形態について、図を参照しつつ説明する。
【００１４】
図１は本発明のＤＶＤＬＯＤＥＲを有する薄型テレビにおけるＤＶＤＬＯＤＥＲの内部機構を示す構成図、図２は薄型テレビにおける裏面側の一部切り欠きした背面図である。
【００１５】
本実施形態におけるＤＶＤＬＯＤＥＲ１は、図２に示すように、薄型テレビ２の裏面側のリアキャビネット３に設けられている。このＤＶＤＬＯＤＥＲ１は、図１に示すように、ＳＬモータ４からギヤ群５を解してディスクＤを挿入排出するための搬送ローラ６が回転されるようになっている。また、ＳＬモータ４はピックアップ２０を移動させるように構成されている。
【００１６】
また、図中符号７はターンテーブル（図示略）を回転させるためのＳＰモータである。ギヤ群５はＳＬモータ４の軸に形成されたウオームギヤ８に噛み合う第１ギヤ９と、この第１ギヤ９に噛み合う第２ギヤ１０と、この第２ギヤ１０に噛み合う第３ギヤ１１と、第４ギヤ１２、第５ギヤ１３、傘歯車１４、搬送ローラ６を回転させるギヤ１５等から構成されている。
【００１７】
また、ＤＶＤＬＯＤＥＲ１の外部から挿入されて第３ギヤ１１に噛み合うギヤ歯部１６ａを有する排出ボタン１６が別に設けられ、図１に示すように、この排出ボタン１６を押すことによって、第３ギヤ１１が搬送ローラ６をディスクＤが排出する方向に回動されるようになっている。また、図２に示すように、薄型テレビ２の裏面側のリアキャビネット３には排出ボタン１６を不使用時に収納する収納部１７が設けられ、この収納部１７の壁部に排出ボタン１６を保持するための左右一対のリブ１８、１８が設けられている。また、収納部１７にはその上側に開閉可能なカバー１９が設けられている。
【００１８】
まず、排出ボタン１６を挿入して第３ギヤ１１に噛み合わせ、更に押すことによって第３ギヤ１１を回転させると共に、第２ギヤ１０と第１ギヤ９を介してＳＬモータ４の軸を回転させて、ピックアップ２０を矢印の方向に移動させ、ディスクＤのチャッキングを解除する。これと共に、ギヤ群５を回転させて搬送ローラ６を回転させ、ディスクＤを排出させる。尚、第３ギヤ１１から排出ボタン１６のギヤ歯部１６ａを外すには、排出ボタン１６を軸回りに約９０度回転させればよい。
【００１９】
従って、本実施形態によれば、排出ボタン１６をＤＶＤＬＯＤＥＲ１内に挿入し、第３ギヤ１１に先端のギヤ歯部１６ａを噛み合わして押すことにより、第３ギヤ１１を搬送ローラ６がディスクＤを排出する方向に回転してディスクＤを排出するようにしたから、電源がＯＦＦのときや電気的排出機能に問題が生じても手動でディスクＤをＤＶＤＬＯＤＥＲ１から取り出すことができ、更に構造を簡単化することができ、排出ボタン１６だけでディスクＤを取り出すことができる。また、薄型テレビ２のリアキャビネット３に設けられた収納部１７に排出ボタン１６を不使用時に収納するようにしたから、排出ボタン１６の誤操作を防ぐことができると共に、排出ボタン１６が紛失することを防ぐことができる。
【図面の簡単な説明】
【００２０】
【図１】本発明のＤＶＤＬＯＤＥＲを有する薄型テレビにおけるＤＶＤＬＯＤＥＲの内部機構を示す構成図である。
【図２】薄型テレビにおける裏面側の一部切り欠きした背面図である。
【図３】従来のディスク移送装置を示し、（ａ）はトレー搬入時の部分断面図、（ｂ）はトレー強制手動搬出時の部分断面図である。
【符号の説明】
【００２１】
Ｄ        ディスク
１        ＤＶＤＬＯＤＥＲ
２        薄型テレビ
３        リアキャビネット
４        ＳＬモータ
５        ギヤ群
６        搬送ローラ
７        図中符号
８        ウオームギヤ
９        第１ギヤ
１０      第２ギヤ
１１      第３ギヤ
１２      第４ギヤ
１３      第５ギヤ
１４      傘歯車
１５      ギヤ
１６      排出ボタン
１６ａ    ギヤ歯部
１７      収納部
１８      リブ
１９      カバー
２０      ピックアップ
【図１】
2009037680.tif 000003
【図２】
2009037680.tif 000004
【図３】
2009037680.tif 000005